(57)【特許請求の範囲】
【請求項１】
走行装置（１）上に機体フレーム（２）を設置し、該機体フレーム（２）の前端位置に、左右に所定間隔をもって前後に整列させた状態で圃場に栽培している葉菜（Ｙ）の茎部（Ｙｂ）を切断し得る刈刃（３１）を設け、前記機体フレーム（２）に、前記刈刃（３１）で切断した各葉部（Ｙａ）を乗せて機体フレーム後方側に搬送するコンベアベルト（４１）を設置した葉菜収穫機であって、
前記刈刃（３１）は、圃場に栽培している葉菜（Ｙ）を左右複数条ずつ同時に切断し得る長さを有し、
前記機体フレーム（２）の前部位置に、前記刈刃（３１）より前方に突出し且つ圃場面に摺接して各葉菜列の条間に生えている雑草（Ｚ）を前記刈刃（３１）が達する前に押し倒すことができる雑草押え板（７０）を左右に間隔をもって複数個設けている一方、
前記各雑草押え板（７０，７０・・）はそれぞれ左右にスライド自在に取付けているとともに、
前記各雑草押え板（７０，７０・・）はそれぞれ上下に傾動自在に取付けている、
ことを特徴とする葉菜収穫機。
【発明の詳細な説明】
【技術分野】
【０００１】
本願発明は、ホウレン草のような葉菜を収穫するためのものであって、特に葉菜の葉部のみを収穫するようにした葉菜収穫機に関するものである。
【背景技術】
【０００２】
従来からホウレン草の収穫作業は、主として手作業で１本ずつ根部を引き抜いて収穫していたが、このような手作業による収穫作業では、長時間不自然な姿勢（中腰や足を屈めた姿勢）が続き、身体的に苛酷な作業となるとともに、作業能率が非常に悪かった。
【０００３】
他方、従来から、例えば特開平９−３０８３５３号公報（特許文献１）に開示されるような葉菜収穫機が知られているが、この公知の葉菜収穫機は、自走式であって根切り刃により葉菜の根を１株ごと切断し、その根切り葉菜を圃場から引き抜いて搬送・収集し得るようにしたものである。
【０００４】
ところが、この公知の葉菜収穫機では、収穫機を自走させながら葉菜を収穫できる（身体の疲労度が少ない）ものの、根切り刃（地中の表層部分に潜って根を切断する）が葉菜の根を１株ずつしか切断できず、従って収穫能率が悪いものであった。又、根切り刃は、地中を進行するので、比較的短期間で切れにくくなり、刃物の耐久性が悪いという問題もあった。
【０００５】
【特許文献１】特開平９−３０８３５３号公報
【発明の開示】
【発明が解決しようとする課題】
【０００６】
ホウレン草のような葉菜は、葉部を食用にするものであり、特に加工用に使用する場合は葉部のみを収穫すればよい。その場合は、圃場面から露出している茎部を切断して（各葉部がバラバラになる）、その各葉部のみを収集すればよい。
【０００７】
ところで、ホウレン草のような葉菜は、１つの畝に左右に所定間隔をもって５〜６条植え付けられるが、圃場面から露出している葉菜茎部を切断する場合は、刈刃にさほどの負担がかからないので、複数条（畝の全幅）の葉菜を同時に刈り取ることができる。
【０００８】
他方、圃場（畝）には、栽培される葉菜とともに雑草も混生しており、畝の全幅に亘って同時に刈り取る場合は雑草も同時に刈り取ってしまう。そして、収集した葉菜葉部中に雑草が混入すると、後で雑草排除作業を行う必要があるが、葉菜葉部中に多量の雑草が混入していると、雑草排除作業に長時間を要するという問題がある。
【０００９】
そこで、本願発明は、ホウレン草のような葉菜を茎部で切断して各葉部のみを収穫するようにした葉菜収穫機において、圃場に混生している雑草をできるだけ刈り取らないようにすることを目的としている。
【課題を解決するための手段】
【００１０】
本願発明は、上記課題を解決するための手段として次の構成を有している。尚、本願発明は、ホウレン草のように各葉部が茎部で分離しているような葉菜の葉部のみを収穫するのに適した葉菜収穫機を対象にしている。
【００１１】
ホウレン草のような葉菜を栽培する場合は、前後左右に所定間隔（例えば１５〜２０cm程度の間隔）をもって植え付けられる。又、葉菜を畝に植え付ける場合は、畝幅が例えば９０cm程度であれば畝長さ方向に葉菜を５〜６条程度整列させた状態で植え付けることが多い。
【００１２】
そして、本願発明の葉菜収穫機は、走行装置上に機体フレームを設置し、該機体フレームの前端位置に圃場面から僅かに離間した位置において圃場に栽培している葉菜の茎部を切断する刈刃を設けているとともに、機体フレームに刈刃で切断した各葉部を乗せて機体フレーム後方側に搬送するコンベアベルトを設置し、刈刃は圃場に栽培している葉菜を左右複数条ずつ同時に切断し得る長さを有している。
【００１３】
又、本願発明の葉菜収穫機には、機体フレームの前部位置に、刈刃より前方に突出し且つ圃場面に摺接して各葉菜列の条間に生えている雑草を刈刃が達する前に押し倒すことができる雑草押え板を設けている一方、該各雑草押え板は、それぞれ左右にスライド自在で且つ上下に傾動自在に取付けている。
【００１４】
本願発明の葉菜収穫機は、走行装置により自走できるものであるが、走行装置の駆動源としてはモータやエンジンが使用できる。又、走行部には、車輪やクローラ（それぞれ左右一対ある）が使用できる。左右の走行部（車輪やクローラ）の間隔は、圃場の畝（ホウレン草栽培用の畝幅は９０cm程度のものが多い）を跨ぎ得る程度（例えば１２０cm程度）のものである。尚、この走行装置による収穫作業時の走行スピードは、低速から例えば６０ｍ／分程度までの範囲で自由に調整できる（中でも２０ｍ／分〜４０ｍ／分程度の走行スピードが安定状態で運転できる）。
【００１５】
機体フレームは、この葉菜収穫機の骨格を構成するもので、左右の各支柱に対して前後に長い左右２つの側板を傾動自在に枢支したものが採用できる。左右の側板は、刈刃（刈取装置）やコンベアベルト（搬送装置）や後述のブラシロール（掻き上げ装置）等の取付台となるものである。又、左右の側板は、高さ調節装置（接地板付き）によって側板前端部の高さ（側板の傾斜角度）を調整し得るようになっている。尚、この機体フレームには、操舵用のハンドルが設けられる。
【００１６】
刈刃としては、それぞれ突起状刃先を左右に多数配置した上刃と下刃とを有するものが使用できる。又、この刈刃は、畝幅（９０cm程度）と同程度かそれよりやや長い左右長さ（例えば１００cm）のものを採用できる。この刈刃は、機体フレームの左右側板の前端部下面に左右向き姿勢で取付けられている。又、この刈刃は、上記高さ調節装置で左右側板の前端部の高さ調節をすることによって、圃場面から僅かに（例えば１〜２cm程度）離間した位置に位置決めされる。そして、この刈刃は、モータによって上刃と下刃を相互に左右逆方向に振動させることで葉菜の茎部を剪断し得るようになっている。
【００１７】
コンベアベルトは、圃場の畝幅よりやや広幅のものが好適である。例えば、畝幅が９０cm程度であればコンベアベルトの幅を１００cm程度にするとよい。又、このコンベアベルトは、前低後高の傾斜姿勢で設置されるが、コンベアベルト前端部は刈刃の先端より僅かに（例えば２〜３cm程度）後退した位置で且つ該刈刃に可及的に近接する位置まで降下させておくとよい（切断した葉部がコンベアベルト前端部上に乗り上げ易くなる）。このコンベアベルトは、モータにより上面側が後方に走行するように駆動される。コンベアベルトの搬送スピードは、収穫機の走行スピードよりやや速い程度（例えば５〜１０％程度速い程度）で駆動される。尚、コンベアベルトの後端部の下方には、葉菜収集用の容器が設置される。
【００１８】
本願の葉菜収穫機には、後述の実施例で説明しているように、刈刃で切断した各葉部（茎部を切断した時点でバラバラになる）をコンベアベルトの前端部上に掻き上げるためのブラシロールを設けることができる。このブラシロールは、例えば外径が３０〜４０cm程度でコンベアベルト幅とほぼ同等の長さ（例えば１００cm）を有したものが好適である。このブラシロールに使用されるブラシは、柔軟なもの（葉菜の葉部を掻き上げるときに該葉部を傷つけないもの）がよい。このブラシロールは、その最下面がコンベアベルト前端部の上面に適度に近接する（又は接触させてもよい）ように設置されている。そして、このブラシロールは、モータによってブラシロール下面側が後方に移動するように回転せしめられる。ブラシロールの駆動スピードは、その周速度がコンベアベルトの搬送スピードよりやや速い程度に設定される。
【００１９】
ところで、圃場（畝）には、栽培される葉菜とともに雑草も混生しており、刈刃で畝の全幅に亘って同時に刈り取る場合は葉部と雑草とを同時に刈り取ってしまう（収穫した葉菜葉部中に雑草が混入する）。
【００２０】
そこで、本願の葉菜収穫機では、圃場に栽培されている葉菜列間の条間に生えている雑草を刈刃が達する前に押し倒すことができる雑草押え板を左右に間隔をもって複数個設けている。この各雑草押え板は、幅が例えば４〜５cm程度で、その先端部が刈刃より前方に位置する状態で且つ後端部が刈刃設置位置より後方に達する長さを有している。又、この各雑草押え板は、刈刃で刈り取り得る幅の各葉菜列（例えば５〜６列）のそれぞれ条間位置（複数箇所ある）において圃場面に接地するように設置されている。尚、刈刃で刈り取る範囲の左右各外端にある各葉菜列のそれぞれ外側にも各雑草押え板を設置することができる。
【００２１】
この各雑草押え板は、それぞれ左右にスライド自在に（左右に位置調整し得るように）取付けており、圃場に栽培している葉菜列の各条間位置にそれぞれ位置合わせし得るようになっている。
【００２２】
又、この各雑草押え板は、それぞれ上下に傾動自在に取付けており、収穫ユニットの傾動角度に拘わりなく、各雑草押え板の下面が全面に亘って畝上面に接触するようになっている。
【００２３】
本願発明の葉菜収穫機を使用するには、走行装置の左右走行部を所定方向に向けて配置し（圃場に畝がある場合は該畝を跨ぐように配置する）、各雑草押え板をそれぞれ葉菜列の各条間に対応する位置に位置決めする。そして、刈刃とコンベアベルトとブラシロール（実施例で使用している）とをそれぞれ駆動し、走行装置により収穫機を前進させると、圃場に栽培されている各葉菜の茎部（圃場面から露出している）を刈刃で順次切断していく。葉菜の茎部が切断されると各葉部がバラバラに分離するが、このときコンベアベルトが駆動状態で前進しており（実施例で使用しているブラシロールが掻き上げ方向に回転している）、分離した各葉部が直ちにコンベアベルトの前端部（掻き上げ方向に回転している）に接触して該コンベアベルト前端部上に掻き上げられるようになる。従って、切断された各葉部は、その大部分がスムーズにコンベアベルト前端部上に掻き上げられ、順次コンベアベルト上を後送されてコンベアベルト後端部からその下方の収集容器内に落下・収容される。尚、切断された各葉部の一部（特に小さい葉）は、コンベアベルト上に乗せられずに圃場に残るが、その収穫できない残量はごく少量となる。
【００２４】
そして、この葉菜収穫機を使用すると、走行装置による走行スピードで圃場の各葉菜（葉部のみ）を刈り取ることができる。
【００２５】
又、この葉菜収穫機が前進する際に、刈刃より前方位置で各雑草押え板が接地状態で進行しているので、該各雑草押え板で葉菜列の各条間に生えている雑草を押し倒していき（刈刃が通過するまで雑草を押し倒したままである）、刈刃が押し倒し雑草の位置に達しても刈刃で該押し倒し雑草を切断することがない。
【００２６】
ところで、雑草は前後の葉菜間にも生えており、この葉菜前後間の雑草は、雑草押え板で押し倒すことができない（立ったままである）ので刈刃通過時に葉菜葉部とともに切断されてしまう（収集葉部中に混入する）が、本願の葉菜収穫機では、葉菜列の各条間に生えている大部分の雑草をそれぞれ雑草押え板で押し倒すことができる（刈刃で切断されない）ので、収集した葉菜葉部中に混入する雑草の量を少なくできる。
【００２７】
尚、この葉菜収穫機で収穫された葉部は、主として加工用（混ぜ物）として使用するのに適したものである。
【発明の効果】
【００２８】
本願の葉菜収穫機には、次のような効果がある。
【００２９】
(1) この葉菜収穫機を使用すると、圃場に栽培されている葉菜（例えばホウレン草）の葉部を作業員が立ったままで収穫でき、手作業による収穫作業に比して疲労度が大幅に軽減できる。
【００３０】
(2) 走行装置による走行スピード（最高で６０ｍ／分程度が可能であるが２０ｍ／分〜４０ｍ／分程度が安定状態で運転できる）で葉菜（葉部）を収穫できるので、収穫時間を飛躍的に短縮できる。
【００３１】
(3) 刈刃は、地上に露出している茎部を切断し且つ圃場に栽培している葉菜を左右複数条ずつ同時に切断し得る長さを有しているので、一度に左右広幅範囲を刈り取ることができ、１回当たりの進行で広い面積の葉菜を収穫できる。
【００３２】
(4) 刈刃が達する前に雑草押え板で葉菜列の条間に生えている雑草を押し倒すことができるので、葉菜葉部とともに切断される雑草の量を少なくでき、後で葉菜葉部中から雑草を排除する手間（作業時間）を大幅に短縮することができる。
【００３３】
(5) 各雑草押え板は、それぞれ左右にスライド自在に取付けているので、各雑草押え板を圃場に栽培している葉菜列の各条間位置にそれぞれ正確に位置合わせすることができる。
【００３４】
(6) 各雑草押え板は、それぞれ上下に傾動自在に取付けているので、収穫ユニットの傾動角度に拘わりなく、各雑草押え板の下面全面が常に畝上面に接触しながら進行するようになる（雑草押し倒し機能が確実となる）。
【００３５】
(7) 葉菜の各葉部のみを収穫できるので、葉部を加工用（例えば混ぜ物）に使用する場合に、根付き葉菜のように根切り作業が不要になり、後の処理工程が簡単となる。
【実施例】
【００３６】
図１〜図６を参照して本願実施例の葉菜収穫機を説明すると、図１はこの実施例の葉菜収穫機の側面図、図２は図１の平面図、図３は図１の左側面図、図４は図１の一部拡大図、図５は図１の葉菜収穫機に使用されている高さ調節装置６の一部拡大斜視図である。又、図１〜図４には畝Ａ上に栽培している葉菜（ホウレン草）Ｙを収穫する場合の使用例を示し、図６には平地栽培している葉菜（ホウレン草）Ｙを収穫する場合の使用例を示している。
【００３７】
尚、図２に示すように、以下の説明で、前後とはこの葉菜収穫機の進行方向の前後のことであり、左右とは進行方向の前側から見ての左右のことである。又、以下に例示する各寸法は、本願の葉菜収穫機を理解し易くするためのものであって、それぞれ特に限定するものではなく、要件を満たす範囲で自由に設計変更できるものである。
【００３８】
図１〜図５に示す葉菜収穫機は、走行装置１と、該走行装置１上に設置された機体フレーム２と、圃場（畝）Ａに栽培している葉菜（ホウレン草）Ｙの各葉部Ｙａを切断する刈取装置３と、切断した各葉部Ｙａを後送する搬送装置４と、切断した各葉部Ｙａを搬送装置のコンベアベルト前端部上に掻き上げる掻き上げ装置５と、葉菜列の各条間に生えている雑草Ｚを押し倒す雑草押え板７０とを基本構成にしている。
【００３９】
走行装置１は、この葉菜収穫機を自走させるものであり、この実施例では走行部に左右一対のクローラ１１，１１を採用している。この左右のクローラ１１，１１間の間隔は、圃場の畝Ａを跨いで両側の畝溝Ｂ，Ｂを走行し得るように設定している。図示例（図２、図３）では、畝幅Ｗが９０cmであり、各クローラ１１，１１の間隔を１１０〜１２０cm程度に設定している。尚、他の実施例では、走行装置１の走行部として左右一対の車輪を使用することができる。
【００４０】
機体フレーム２は、左右一対の支柱２１，２１と、該各支柱２１，２１に対して上下に傾動自在に枢支された左右一対の側板２２，２２とを有している。
【００４１】
左右の各支柱２１，２１は、畝幅Ｗ（図２、図３）よりやや大きな間隔をもって配置している。図示例では、畝幅Ｗが９０cmであるのに対して、各支柱２１，２１間の間隔を１００〜１１０cm程度に設定している。
【００４２】
各支柱２１，２１の下端部は、それぞれクローラ１１，１１の駆動輪１１ａ，１１ａの各軸１２，１２で支持されている。尚、この実施例では、各支柱２１，２１は、図１に示すようにやや前傾姿勢で設置している。
【００４３】
この葉菜収穫機には、各種駆動源（モータ）の電源となるバッテリー１０が搭載されている。又、この葉菜収穫機の後部には、収集容器８を載置するための置き台７が設けられている。さらに、この葉菜収穫機の右側後部には、操舵用のハンドル９が取付けられている。尚、バッテリー１０、置き台７、及びハンドル９は、それぞれ支柱２１に取付けられている。
【００４４】
右側の支柱２１の上部には、走行装置１の動力源となるモータ１３が設置されている。このモータ１３からの動力は、各プーリ（又はスプロケット）や各ベルト（又はチエン）等からなる動力伝達部材１４を介して各クローラ１１，１１の駆動輪１１ａ，１１ａを駆動するようになっている。この走行装置１による収穫作業時の走行スピードは、低速から例えば６０ｍ／分程度までの範囲で自由に調整できる（中でも２０ｍ／分〜４０ｍ／分程度の走行スピードが安定状態で運転できる）。尚、他の実施例では、走行装置１の駆動源としてエンジンを使用することもできる。
【００４５】
各クローラ１１，１１のそれぞれ外側には、動力伝達部材１４の一部をカバーするカバー体１５，１５が各支柱２１，２１と平行姿勢で設けられている。この各カバー体１５，１５は、両支柱２１，２１の補強部材としての機能も有している。
【００４６】
機体フレーム２の左右各側板２２，２２は、前後にかなりの長さ（例えば全長が１００cm程度）を有している。この両側板２２，２２には、それぞれ後述する搬送装置４と掻き上げ装置５と高さ調節装置６とが取付けられていて、それらの各装置（４，５，６）と両側板２２，２２とで収穫ユニットＵを構成している。
【００４７】
この収穫ユニットＵの詳細構成は後述するが、この収穫ユニットＵは、その全体の重心位置からやや後側に離れた位置を左右の支柱２１，２１の中間高さ位置（具体的には各支柱２１，２１の中間高さ位置に前方突出状態で固定している各支持フレーム２３，２３の先端部）に１本の軸２４で枢支している。従って、この収穫ユニットＵは、自然状態では軸２４を中心にして前側が下方に傾動するようになっている。
【００４８】
収穫ユニットＵの各側板２２，２２は、畝幅Ｗの間隔（９０cm）よりやや広い間隔（内面間隔が１０５cm程度）を有している。この両側板２２，２２間には、搬送装置４のコンベアベルト４１が側板２２の全長に亘って設置されている。このコンベアベルト４１は、両側板２２，２２間の間隔より僅かに狭い程度の広幅（約１００cm幅）のものが採用されている。そして、このコンベアベルト４１は、左側の側板２２に取付けたモータ４２で上面側が後方に走行するように駆動される。コンベアベルト４１の搬送スピードは、走行装置１による走行スピードよりやや速く（例えば５〜１０％程度高速）設定される。
【００４９】
刈取装置３は、刈刃３１をモータ３２で駆動するようにしたものである。刈刃３１は、図２に示すように、それぞれ突起状刃先を左右に多数配置した上刃と下刃とを有するものが使用されている。この刈刃３１は、畝幅Ｗ（９０cm）よりやや長い左右長さ（例えば１００cm）のものが採用されている。
【００５０】
この刈刃３１は、左右側板２２，２２の前端部下面に左右向き姿勢で且つ刃先がコンベアベルト４１の前端部より僅かに（例えば２〜３cm程度）突出するように取付けられている。そして、この刈刃３１は、モータ３２によって上刃と下刃を相互に左右逆方向に高速振動（例えば１０００〜２０００回／分）させることで葉菜Ｙの茎部Ｙｂを剪断し得るようになっている。
【００５１】
掻き上げ装置５には、ブラシロール５１が採用されている。このブラシロール５１は、外径が３０〜４０cm程度でコンベアベルト４１の幅とほぼ同等の長さ（約１００cm）を有している。このブラシロール５１に使用されるブラシは、比較的柔軟なもの（葉菜の葉部Ｙａを傷つけないもの）を使用している。
【００５２】
そして、ブラシロール５１は、左右の支持アーム５２，５２により、ブラシロールの最下面がコンベアベルト４１の前端部の上面に近接するように設置されている。即ち、各支持アーム５２，５２の基端部は各側板２２，２２に１本の軸５３で枢支されているとともに、各支持アーム５２，５２の先端部間にブラシロール５１を回転自在に支持している。又、各支持アーム５２，５２は、図１に示すように高さ調節機構（長穴）付きの支えフレーム５４で各側板２２，２２に支持されていて、各支えフレーム５４の固定高さを調節することにより、ブラシロール５１の最下面とコンベアベルト前端部の上面との間隔を調整し得るようになっている。
【００５３】
ブラシロール５１は、モータ５５により動力伝達部材（プーリ及びベルト）５６を介してブラシロール下面側が後方に移動するように回転せしめられる。ブラシロール５１の駆動スピードは、その周速度がコンベアベルト４１の搬送スピードよりやや速い程度に設定される。尚、このブラシロール駆動用のモータは、コンベアベルト用のモータ４２で共用することができる。
【００５４】
この収穫ユニットＵには、刈刃３１を圃場面（図１〜図４の第１実施例では畝Ａの上面）から僅かに（例えば１〜２cm程度）離間させた状態で使用するための高さ調節装置６が使用されている。
【００５５】
この高さ調節装置６は、左右各側板２２，２２の前部寄り外側面に設けられていて、それぞれ下端に接地板６１，６１を設けたスクリュー棒６２，６２を各ハンドル６３，６３で上下動させ得るようにしたものである。各接地板６１，６１には、図５に拡大図示するように、前後に適宜小長さ（例えば１０〜１５cm程度の長さ）を有した細幅（例えば２〜３cm幅）の板材が使用されている。尚、この各接地板６１の前端部は上向きに傾斜させていて、進行時に各接地板６１が地中に潜り込まないようにしている。そして、この各接地板６１は、スクリュー棒６２の下部に連続させたブラケット６４にピン６５で枢支して、該各接地板６１が上下に傾動し得るように設置されている。各側のブラケット６４，６４は、１本の連結棒６６で連結されていて、スクリュー棒６２を回転させたときにブラケット６４が連れ回りしないようにしている。
【００５６】
尚、本願では、実質的に接地板となる後述の雑草押え板７０を使用している関係で、上記各接地板６１，６１を省略することができる。
【００５７】
この実施例では、高さ調節装置６に、実質的に接地板として機能し且つ後述する雑草押え機能をもつ複数枚（図示例では７枚）の雑草押え板７０，７０・・が用いられている。
【００５８】
この各雑草押え板７０，７０・・の主たる機能は、圃場に栽培されている各葉菜列の条間に生えている雑草Ｚ（図４参照）を刈刃３１が達する前に押し倒して、該刈刃３１で雑草Ｚを刈り取らないようにするためのものであるが、その機能の詳細は後述する。
【００５９】
各雑草押え板７０，７０・・は、図５に示すように前後長さが３０〜３５cm程度で４〜５cm幅程度の板材が使用されている。尚、この各雑草押え板７０，７０・・の前端部も上向きに傾斜させていて、進行時に各雑草押え板７０，７０・・が地中に潜り込まないようにしている。
【００６０】
この各雑草押え板７０，７０・・は、前記連結棒６６に対して左右にスライド自在（間隔調整自在）に取付けられている。即ち、図５に示すように、連結棒６６には、該連結棒６６に対してスライドするスライダー７１が雑草押え板７０と同数（７個）嵌合されている。この各スライダー７１，７１・・の下部にはそれぞれブラケット７２，７２・・が取付けられていて、該各ブラケット７２，７２・・の下端部にそれぞれ雑草押え板７０，７０・・をピン７３，７３・・で枢支している。この各雑草押え板７０，７０・・の先端は、刈刃３１の位置よりかなり前方に突出しており、葉菜収穫機の前進時に該雑草押え板７０の先端が刈刃３１より前方を進行するようになっている。又、各雑草押え板７０，７０・・の後端は、刈刃３１の設置位置より後方に位置しており、刈刃３１が雑草押え板７０で押し倒された雑草Ｚの位置を通過するまでは該雑草Ｚを押し倒し状態で維持させ得るようになっている。
【００６１】
各スライダー７１，７１・・は、各雑草押え板７０，７０・・を圃場の条間位置に合わせて位置調整した後、それぞれ止具７４で連結棒６６に固定し得るようになっている。
【００６２】
以下に、この雑草押え板７０の機能と併せてこの葉菜収穫機の使用方法を説明する。
【００６３】
ところで、この葉菜収穫機を使用する場合は、圃場に栽培する葉菜Ｙは前後左右に所定間隔（例えば１５〜２０cm程度の間隔）をもって植え付けられる。特に、前後方向には各列をきれいに整列させる。尚、図１〜図４の植え付け例では、９０cm幅の畝Ａに左右に約１５cm間隔の条間をもって６条植え付けている。又、栽培される葉菜Ｙがホウレン草では、各葉部Ｙａの付け根（茎部Ｙｂ）が圃場面から露出した部分で枝分かれしている。
【００６４】
この葉菜収穫機を使用するには、走行装置１の各クローラ１１，１１が圃場の畝Ａを跨ぎ且つ畝Ａと平行に向くように配置する（各クローラ１１，１１が畝溝Ｂ，Ｂに位置する）。このとき、収穫ユニットＵの前部は自重で下がり、各雑草押え板７０，７０・・が畝Ａの上面に接地するが、収穫ユニットＵは、重心位置からやや後側にずれた位置を枢支しているだけなので、収穫ユニットＵの前部を人力で容易に持ち上げる（傾動させる）ことができる。そして、走行装置１の各クローラ１１，１１を所定位置に配置した状態で、各雑草押え板７０，７０・・を、畝Ａに栽培している葉菜列の各条間に対応する位置に調整した後、畝面に接地させる。次に、高さ調節装置６の各ハンドル６３，６３を回転させて、刈刃３１が畝面から所定間隔（１〜２cm）だけ離間するように高さ調節をする。尚、各雑草押え板７０，７０・・は、上下に傾動自在になっているので、収穫ユニットＵの傾動角度に拘わりなく、各雑草押え板７０の下面が全面に亘って畝上面に接触する。
【００６５】
そして、刈取装置３と搬送装置４と掻き上げ装置５の各モータ（３２，４２，５５）をそれぞれ駆動し、走行装置１により収穫機を前進させると、図４に示すように刈刃３１が畝Ａの各葉菜Ｙ，Ｙ・・の茎部Ｙｂを順次切断していく。各葉菜Ｙの茎部Ｙｂが切断されると各葉部Ｙａ，Ｙａ・・がバラバラに分離するが、このときコンベアベルト４１が駆動状態で前進しており且つブラシロール５１が掻き上げ方向に回転していることにより、分離した各葉部Ｙａ，Ｙａ・・が直ちにコンベアベルト４１の前端部に接触するとともにブラシロール５１でコンベアベルト前端部上に掻き上げられるようになる。従って、切断された各葉部Ｙａ，ｙａ・・は、その大部分がコンベアベルト前端部上にスムーズに掻き上げられ、順次コンベアベルト４１上を後方に搬送されてコンベアベルト後端部からその下方の収集容器８内に落下・収容される。
【００６６】
このように、この葉菜収穫機を使用すると、自動で各葉部Ｙａのみを収集することができ、且つ走行装置１による走行スピードで刈り取り作業が行えるので、収集効率が手作業に比して格段に良好となる。又、葉菜Ｙの葉部Ｙａだけを収穫するようにしたものにおいて、刈刃３１で切断した直後の各葉部Ｙａを順次ブラシロール５１でコンベアベルト前端部上に掻き上げるようにすると、各葉部Ｙａが切断されて不安定な状態であっても高確率で収集できる。尚、切断された各葉部の一部（特に小さい葉）は、コンベアベルト４１上に乗せられずに圃場に残るが、その収集できない残量はごく少量となる。
【００６７】
ところで、畝Ａ上には、図４に示すように葉菜Ｙ，Ｙの間に雑草Ｚが生えていることが多いが、刈刃３１で雑草Ｚまで切断すると、その切断された雑草もコンベアベルト４１上に乗せられてしまい、収集した葉菜葉部Ｙａ中に多量の雑草が混入してしまう（後の雑草排除作業が面倒になる）。
【００６８】
そこで、この実施例では、葉菜収穫機の前進時に各雑草押え板７０，７０・・の先端部が刈刃３１より前方で進行するが、この各雑草押え板７０，７０・・は、左右の葉菜列の各条間を畝面に摺接しながら進行するので、該各雑草押え板７０，７０・・で各条間に生えている雑草Ｚを刈刃３１が達する前に押し倒していく（図４参照）。従って、雑草押え板７０で押し倒された雑草Ｚは刈刃３１で切断されることなくそのまま畝Ａに残るようになる。尚、前後の葉菜Ｙ，Ｙ間に生えている雑草Ｚは、雑草押え板７０で押し倒すことができずに刈刃３１で葉菜Ｙとともに刈り取られる（コンベアベルト４１上に乗せられる）が、各雑草押え板７０，７０・・で押し倒した分だけ雑草混入量を少なくでき、後の雑草排除の手間が少なくて済む。
【００６９】
図６には、上記葉菜収穫機で平地栽培された葉菜Ｙを収穫する場合を示している。この場合は、クローラ１１の下面が葉菜Ｙの植え付け面と同高さになるので、高さ調節装置６を調整して、刈刃３１を植え付け面に近接する位置（葉菜の茎部Ｙｂを切断する位置）まで降下させる。尚、その他の使用方法及び各装置の機能は、図１〜図５に示す実施例と同じである。
【図面の簡単な説明】
【００７０】
【図１】本願実施例の葉菜収穫機の側面図である。
【図２】図１の平面図である。
【図３】図１の左側面図である。
【図４】図１の一部拡大図である。
【図５】図１の葉菜収穫機に使用されている高さ調節装置の一部拡大斜視図である。
【図６】図１の葉菜収穫機を平地栽培された葉菜の収穫に適用した場合の側面図である。
【符号の説明】
【００７１】
１は走行装置、２は機体フレーム、３は刈取装置、４は搬送装置、５は掻き上げ装置、６は高さ調節装置、１１はクローラ、２１は支柱、２２は側板、３１は刈刃、３２は刈刃用のモータ、４１はコンベアベルト、４２はコンベアベルト用のモータ、５１はブラシロール、５５はブラシロール用のモータ、７０は雑草押え板、Ｕは収穫ユニット、Ａは圃場（畝）、Ｙは葉菜、Ｙａは葉部、Ｙｂは茎部である。
【図１】
0005059578.tif 000002
【図２】
0005059578.tif 000003
【図３】
0005059578.tif 000004
【図４】
0005059578.tif 000005
【図５】
0005059578.tif 000006
【図６】
0005059578.tif 000007